(57)【特許請求の範囲】
【請求項１】
頂面部と、該頂面部の両側から垂下された一対の側面部と、該一対の側面部にその一部を切欠いてその切欠いた頂部が頂面部を向くように一対の側面部の内側に位置させて形成された切り起こし突片とからなり、前記切り起こし突片は、一対の側面部間に帯状導体を挿入した際、切り起こし突片の頂部が該帯状導体に係合し、これによって計測用端子が帯状導体から抜けるのを防止すると共に計測用端子と帯状導体とを電気的に接続することを特徴とする計測用端子。
【請求項２】
切り起こし突片は、計測用端子が帯状導体から抜けるのを防止する切り起こし突片と、計測用端子を帯状導体と電気的に接続する切り起こし突片とを備えていることを特徴とする請求項１記載の計測用端子。
【請求項３】
前記頂面部にボルト挿通孔が形成されており、該ボルト挿通孔にボルトが帯状導体の側面を押し込むように挿通され、切り起こし突片および側面部下方が帯状導体と面接触する様にしたことを特徴とする請求項１または２記載の計測用端子。
【請求項４】
頂面部の下面に帯状導体が挿入される帯状導体挿入溝が形成され、 該帯状導体挿入溝は、頂面部の幅方向の一側面側または両側面側に設けられていることを特徴とする請求項１または３のいずれかに記載の計測用端子。
【請求項５】
頂面部または側面部に端子片が突設されていることを特徴とする請求項１ないし４のいずれかに記載の計測用端子。
【発明の詳細な説明】
【０００１】
【発明の属する技術分野】
本発明は、例えば電池の電圧や内部抵抗を計測する際に使用する計測用端子に関するものである。
【０００２】
【従来の技術】
例えば非常用電源として使用する電池は、直並列に多数接続され、電源に並列接続されて使用されている。この電池は電源が稼動しているときには原則として切り離すことができない。
一方、電源に接続されている電池は、定期的等に電圧や内部抵抗を計測し、非常用電源として使用することができるか否か検査する必要がある。
【０００３】
そこで従来は、個々の電池に計測用端子を固定し、該計測用端子にリード線を接続して、電池を設置するときに予め配線工事を行い、以降の測定作業に備えていた。
【０００４】
従来の計測用端子は、ボルト・ナット等で電池に固定する構造であり、また計測用端子とリード線とは圧着接続されており計測用端子とリード線とは分離できない構造であった。
【０００５】
【発明が解決しようとする課題】
しかしながら上記のように、電池を設置するときに予め電池検査用の配線工事を行っておくことは面倒であり、また高価になるという問題があった。
【０００６】
そこで電池を設置するときに予め電池検査用の配線工事を行わず、必要なときに電池にリード線を接続して測定作業を行うことが考えられる。
【０００７】
しかし従来の計測用端子は、ボルト・ナット等で電池に固定する構造であり、電池に接続する作業が非常に面倒であるという問題があった。
【０００８】
【課題を解決するための手段】
本発明は、上記課題を解決した計測用端子を提供するもので、その構成は、頂面部と、該頂面部の両側から垂下された一対の側面部と、該一対の側面部にその一部を切欠いて折り曲げ加工によりその切欠いた頂部が頂面部を向くように一対の側面部の内側に位置するよう形成された切り起こし突片とからなり、前記切り起こし突片は、一対の側面部間に帯状導体を挿入した際、切り起こし突片の頂部が該帯状導体に係合し、これによって計測用端子が帯状導体から抜けるのを防止すると共に計測用端子と帯状導体とを電気的に接続することを特徴とするものである。
【０００９】
上記のように、頂面部の両側から垂下された一対の側面部に切り起こし突片を設け、該切り起こし突片を利用して計測用端子と帯状導体とを、機械的および電気的に接続すると、計測用端子を簡単に電池側に接続することができる。
【００１０】
また本発明に係る計測用端子は、切り起こし突片が、計測用端子が帯状導体から抜けるのを防止する切り起こし突片と、計測用端子を帯状導体と電気的に接続する切り起こし突片を備えていることを特徴とするものである。
【００１１】
上記のように、切り起こし突片を、抜け防止用の切り起こし突片と、電気接続用の切り起こし突片とで構成すると、計測用端子が帯状導体から抜け出るのを確実に防止することができると共に計測用端子を帯状導体に確実に電気的に接続することができる。
【００１２】
また本発明に係る計測用端子は、前記頂面部にボルト挿通孔が形成されており、該ボルト挿通孔にボルトが帯状導体の側面を押し込むように挿通され、切り起こし突片および側面部下方が帯状導体と面接触する様にしたことを特徴とするものである。
【００１３】
上記のように、頂面部にボルト挿通孔が形成されており、該ボルト挿通孔にボルトが挿通されている計測用端子を使用すると、一対の側面部間に帯状導体を挿入した後、ボルトを帯状導体に向かって押し込むことによって、切り起こし突片と帯状導体との機械的接続および電気的接続を強固にすることができる。
【００１４】
また本発明に係る計測用端子は、頂面部の下面に帯状導体が挿入される帯状導体挿入溝が形成され、該帯状導体挿入溝は、頂面部の幅方向の一側面側または両側面側に設けられていることを特徴とするものである。
【００１５】
上記のように、頂面部の下面に帯状導体挿入溝を形成することにより、一対の側面部間に挿入した帯状導体を帯状導体挿入溝に挿入することにより、切り起こし突片と帯状導体との機械的接続および電気的接続を強固にすることができる。
【００１６】
さらに本発明に係る計測用端子は、頂面部または側面部に端子片が突設されていることを特徴とするものである。
【００１７】
上記のように、端子片を突設しておくことにより、該端子片を利用してリード線を簡単に接続することができる。
【００１８】
【実施の形態】
以下本発明を図面を参照して詳細に説明する。
図１（イ）（ロ）は本発明の第１の実施の形態を示すものである。（イ）は正面、（ロ）は側面をそれぞれ示す。この計測用端子１は、全体として略逆Ｕ字型をなし、頂面部１１と、該頂面部の両側から垂下された一対の側面部１２と、該一対の側面部１２に形成された切り起こし突片１３とから成っている。
【００１９】
頂面部１１と、該頂面部の両側から垂下された一対の側面部１２は、金属板を折り曲げ加工することにより形成されている。金属板としてはばね性のあるりん青銅等が好ましい。
一対の側面部１２は、下部側が「く」字型に折り曲げられて、後述する帯状導体の幅より狭く形成されており、該一対の側面部１２間に帯状導体を挟み込むようになっている。
【００２０】
なお、一対の側面部１２は、下部側を「く」字型に折り曲げた形状に限定するものではなく、例えば、一対の側面部１２の下部側を「Ｊ」字型に折り曲げたり、一方の側面部１２の下部側を「く」字型に折り曲げると共に他方の側面部１２の下部側を「Ｊ」字型に折り曲げてもよい。
【００２１】
切り起こし突片１３は、側面部１２の一部を切欠いて形成されている。実施例においては、「く」字型に折り曲げた位置を基準にして三角形の２辺を切り欠き、該切欠いた三角形の頂部１３Ａが頂面部１１側を向くように一対の側面部１２の内側に位置させている。この切り起こし突片１３の形状は、三角形の２辺を切欠いたものに限定されるものではなく、例えば四角形好ましくは台形の３辺を切欠いて形成してもよい。また切り起こし突片１３の数も適宜選定するものである
【００２２】
上記構成の計測用端子は、図２に示すように、一対の側面部１２間に帯状導体２０を挟み込んで使用する。すなわち、帯状導体２０は電池の端子に接続されて電池間等を接続しており、この帯状導体２０を一対の側面部１２間に挟み込む。このように、帯状導体２０を一対の側面部１２間に挟み込むと、切り起こし突片１３の頂部１３Ａが帯状導体２０に係合し、計測用端子１と帯状導体２０とが機械的および電気的に接続される。
【００２３】
図３は本発明の他の実施形態を示すものであり、（イ）は正面、（ロ）は背面、（ハ）は側面を示す。前記実施形態と異なる点は、一方の側面部１２に形成された切り起こし突片１３は、該一方の側面部１２の下部側を「Ｊ」字型に折り曲げて形成され、該折り曲げ先端に三角形の頂部１３Ａが形成されていることと、該下部側を「Ｊ」字型に折り曲げられた一方の側面部１２に帯状の切り起こし突片１３−２を形成した点である。帯状の切り起こし突片１３−２は、略Ｌ時型に曲げられて一対の側面部１２の内部に位置している。
【００２４】
上記構成の計測用端子は、図４に示すように、一対の側面部１２間に帯状導体２０を挟み込んで使用するが、帯状導体２０を一対の側面部１２間に挟み込むと、切り起こし突片１３の頂部１３Ａが帯状導体２０に係合し、該切り起こし突片１３が主に計測用端子が帯状導体から抜け出るのを防止する役割を担い、一方、帯状の切り起こし突片１３−２が帯状導体２０に面接触し、該切り起こし突片１３−２が主に計測用端子を帯状導体に電気的に接続する役割を担うものである。このように切り起こし突片１３−２を形成することにより、計測用端子と帯状導体の電気的接続を確実に行うことができるという効果がある。
【００２５】
なお、切り起こし突片１３−２は両方の側面部１２に形成してもよい。また切り起こし突片１３−２の形状や数は特に限定するものではなく、計測用端子が帯状導体と電気的に確実に接続できる形状および数であればよい。
【００２６】
図５は本発明の更に他の実施形態を示すもので、図１に示した実施形態と異なる点は、頂面部１１にボルト挿通孔１１Ａが形成されており、該ボルト挿通孔１１Ａにボルト３０が通されている点である。ボルト挿通孔１１Ａは、頂面部１１の幅方向のほぼ中央部分に設けられている。
【００２７】
上記のように、頂面部１１にボルト挿通孔１１Ａが形成されており、該ボルト挿通孔１１Ａにボルト３０が挿通されている計測用端子を使用すると、図４に示すように、一対の側面部１２間に帯状導体２０を挿入した後、ボルト３０を帯状導体の側面に向かって押し込むことによって、一方の切り起こし突片１３が帯状導体２０に食い込み、これによって、計測用端子１と帯状導体２０とが機械的に強固に接続され、また他方の切り起こし突片１３および側面部１２下方が帯状導体２０と面接触するので計測用端子１と帯状導体２０との電気的接続が向上する。
【００２８】
図７は本発明の更に他の実施形態を示すもので、図１に示した実施形態と異なる点は、頂面部１１の下面に帯状導体挿入溝４０が形成されている点である。帯状導体挿入溝４０は、頂面部１１の幅方向の一側面側に設けられている。この帯状導体挿入溝４０は、頂面部１１の幅方向の両側面側に設けておいてもよい。また、帯状導体挿入溝４０の幅は、帯状導体２０の厚さより、若干大きい幅となっている。
【００２９】
上記のように、頂面部１１の下面に帯状導体挿入溝４０を形成すると、一対の側面部１２間に挿入した帯状導体２０を帯状導体挿入溝４０に挿入することにより、前記の実施形態と同様に、一方の切り起こし突片１３が帯状導体２０に食い込んで、計測用端子１と帯状導体２０とが機械的に強固に接続され、また他方の切り起こし突片１３および側面部１２下方が帯状導体２０と面接触して計測用端子１と帯状導体２０との電気的接続が向上する。
【００３０】
図８は本発明に係る計測用端子の更に他の実施形態を示すもので、図５に示した実施形態と異なる点は、側面部１２から端子片５０を突設した点である。実施形態の端子片５０は、雄型の端子形状となっている。
【００３１】
上記のように、端子片５０を突設しておくと、該端子片５０を利用してリード線を簡単に接続することができる。すなわち、リード線に雌型の端子を接続しておき、この雌型の端子を端子片５０に差込接続することにより、リード線を簡単に接続することができるものである。
【００３２】
なお、端子片５０を設ける位置やその数およびその形状は特に限定するものではない。例えば、端子片５０を設ける位置は、頂面部１１または側面部１２の両側等でもよく、また数は複数でもよい。更に端子片５０は側面部１２の一部を切起こして形成してもよい。更に端子片５０は雌型としてもよい。更に端子片５０とリード線の端子を接続した際、両者の抜けを防止するために両者に嵌合部を設けておくことが好ましい。更に端子片５０を設ける端子の構造は、図１に示した端子または図４に示した端子等でもよい。
【００３３】
なお、図３及び図４に示した、帯状の切り起こし突片１３−２を備えた計測用端子に、図５に示したような、頂面部１１にボルト挿通孔１１Ａを形成すると共に該ボルト挿通孔１１Ａにボルト３を通しておく構成を付加してもよく、また図７に示したような、帯状導体挿入溝４０を頂面部１１の下面に形成する構成を付加してもよく、さらに図８に示すような、端子片５０を側面部１２から突設した構成を付加しても良い。そして、上記各実施形態で説明した計測用端子に予め或いは蓄電池間を接続している帯状導体に係合させた後この端子にリード線を接続して蓄電池電圧や内部抵抗の測定を行うものである。
【００３４】
【発明の効果】
上記のように、本発明に係る計測用端子は、頂面部と、該頂面部の両側から垂下された一対の側面部と、該一対の側面部に形成された切り起こし突片とからなり、前記切り起こし突片は、一対の側面部間に帯状導体を挿入した際、該帯状導体に係合し、これによって計測用端子が帯状導体から抜けるのを防止すると共に計測用端子と帯状導体とを電気的に接続することを特徴とするものであるので、計測用端子を簡単に電池側に接続することができる。
【００３５】
また本発明に係る計測用端子は、切り起こし突片を、抜け防止用の切り起こし突片と、電気接続用の切り起こし突片とで構成するので、計測用端子が帯状導体から抜け出るのを確実に防止することができると共に計測用端子を帯状導体に確実に電気的に接続することができる。
【００３６】
また本発明に係る計測用端子は、頂面部にボルト挿通孔が形成されており、該ボルト挿通孔にボルトが挿通されていることを特徴とするものであるので、計測用端子と帯状導体との機械的接続および電気的接続を強固にすることができる。
【００３７】
また本発明に係る計測用端子は、頂面部の下面に帯状導体挿入溝が形成されているため、計測用端子と帯状導体との機械的接続および電気的接続を強固にすることができる。
【００３８】
さらに本発明に係る計測用端子は、頂面部または該頂面部の両側から垂下された側面部に端子片が突設されているので、該端子片を利用してリード線を簡単に接続することができる。
【図面の簡単な説明】
【図１】本発明に係る計測用端子の一実施形態を示すもので、（イ）は正面図、（ロ）は側面図
【図２】図１の計測用端子の使用状態の側面図
【図３】本発明に係る計測用端子の他の実施形態を示すもので、（イ）は正面図、（ロ）は背面図、（ハ）は側面図。
【図４】図３の計測用端子の使用状態の側面図
【図５】本発明に係る計測用端子の他の実施形態を示す斜視図
【図６】図５の計測用端子の使用状態の説明図
【図７】本発明に係る計測用端子の他の実施形態を示す側面図
【図８】本発明に係る計測用端子の他の実施形態を示す斜視図
【符号の説明】
１        計測用端子
１１      頂面部
１２      側面部
１３、１３−２      切り起こし突片
２０      帯状導体
３０      ボルト
４０      帯状導体挿入溝
５０      端子片
【図１】
0004204297.tif 000002
【図２】
0004204297.tif 000003
【図３】
0004204297.tif 000004
【図４】
0004204297.tif 000005
【図５】
0004204297.tif 000006
【図６】
0004204297.tif 000007
【図７】
0004204297.tif 000008
【図８】
0004204297.tif 000009